(57)【要約】      （修正有）【課題】液体の付着した手を迅速に拭くことができる拭き具を提供する。【解決手段】第１の部分10は開口部を有する袋状に構成され、第２の部分20は第１の部分の側面全体を覆う部分であって第１の部分が有する開口部の縁に沿って接合されて、第１の部分の略等しい大きさで略方形状の第１のシートと第２のシートを重ね合わせた第１のシートと第２のシートの周囲四辺のうち三辺を接合して袋状に構成され、第２の部分の略等しい大きさで略方形状の第３のシート30と第４のシート40との重なった領域の周囲四辺のうち対向する二辺において第３のシートと第４のシートとを接合し、他の二辺では接合せずに構成され、接合された対向する一組の辺の領域が閉口部となり、他の接合されない組の辺の領域が開口部として形成され、第１の部分が有する開口部の縁にあたる辺を第２の部分が有する開口部の縁にあたる辺と接合することによって全体が構成される。【選択図】図１
2018123464.tif 000002
【特許請求の範囲】
【請求項１】
開口部を有する袋状の第１の部分と、
前記第１の部分の側面全体を覆う部分であって、前記第１の部分が有する開口部の縁に沿って接合されている第２の部分と
を備える拭き具。
【請求項２】
前記第２の部分は、二箇所の開口部を有する中空状の部分であって、前記第１の部分を中空状の内部に含み、
前記第１の部分が有する開口部の縁と、
前記第２の部分が有する前記二箇所の開口部のうち一方の開口部の縁とが、
接合されて構成された
請求項１に記載の拭き具。
【請求項３】
さらに、開口部を有する袋状の第３の部分を備え、
前記第３の部分は、前記第１の部分と前記第２の部分の間に設けられ、
前記第３の部分が有する開口部の縁と、
前記第２の部分が有する前記二箇所の開口部のうち他方の開口部の縁とが、
接合されて構成された
請求項１又は２に記載の拭き具。
【請求項４】
前記第１の部分は、略等しい大きさで略方形状の第１のシートと第２のシートを重ね合わせ、重ね合わせた前記第１のシートと前記第２のシートの周囲四辺のうち、三辺を接合して袋状に構成され、
前記第２の部分は、略等しい大きさで略方形状の第３のシートと第４のシートを重ね合わせ、重ね合わせた前記第３のシートと前記第４のシートの周囲四辺のうち、対向する二辺において前記第３のシートと前記第４のシートとを接合し、他の二辺を開口部として構成され、
前記第１のシート及び前記第２のシートの袋状の開口部を形成している辺を、
前記第３のシートと前記第４のシートの間に形成されている二箇所の開口部のうち一方の開口部の辺と、
接合して構成する
ことを特徴とする請求項１又は２に記載の拭き具。
【請求項５】
さらに、前記第３の部分は、略等しい大きさで略方形状の第５のシートと第６のシートを重ね合わせ、重ね合わせた前記第５のシートと前記第６のシートの周囲四辺のうち、三辺を接合して袋状に構成され、
前記第５のシート及び前記第６のシートの袋状の開口部を形成している辺を、
前記第３のシートと前記第４のシートの間に形成されている前記二箇所の開口部のうち他方の開口部の辺と、
接合して構成する
ことを特徴とする請求項１〜４のいずれか一項に記載の拭き具。
【請求項６】
前記第２の部分の外側に、鞄又は衣服又は腰ベルトに取り付けるための着脱手段を備える
ことを特徴とする請求項１〜５のいずれか一項に記載の拭き具。
【請求項７】
鞄又は衣服に、直接接着または縫着されて用いられる
ことを特徴とする請求項１〜５のいずれか一項に記載の拭き具。
【発明の詳細な説明】
【技術分野】
【０００１】
この発明は、拭き具に関するものである。
【背景技術】
【０００２】
水分を吸収しやすい表布の一側に、水分を通しにくい裏布を、重ね合わせて接合し、重ね合わされた領域の周囲の少なくとも一部に開口が形成され、濡れた手を拭く際には、この開口から片手を差し込んで用いられるハンカチが提案されている。（例えば、特許文献1参照）。
【０００３】
これにより、濡れた手を拭いた後の水分を含んだハンカチを、鞄や衣服の中に収納する時は、水分を通しにくい裏布が外側になるように折り畳めば、周囲の物や衣服を濡らさないようにできる。
【先行技術文献】
【特許文献】
【０００４】
【特許文献１】特開平１０−２１２６０５
【発明の概要】
【発明が解決しようとする課題】
【０００５】
ここで、上述の従来例のハンカチは、ハンカチに形成されている開口から片手を差し込み、水分を吸収しやすい表布を使って、両手に付着している水分を拭き取る。この時、表布と裏布の間に差し込んだ手の、甲に接触するハンカチの布が、水分を通しにくい布であることにより、手の甲についた水分を拭き取りにくい。
【０００６】
本発明は、上述の問題点に鑑みてなされたものであり、本発明の目的は、液体の付着した手を迅速に拭くことができる拭き具を提供することにある。
【課題を解決するための手段】
【０００７】
上述した目的を達成するために、本発明の拭き具は、開口を有する袋状の第１の部分と、第１の部分の側面全体を覆う部分であって、第１の部分が有する開口部の縁に沿って接合されている第２の部分とを備えて構成される。
【０００８】
また、鞄又は衣服又は腰ベルトに取り付けられた状態で使うことができるようにするため、拭き具の、鞄又は衣服又は腰ベルトに接する側の面に、安全ピンや面ファスナーなどの着脱手段を設け、鞄又は衣服又は腰ベルトに対して着脱ができるようにしたり、あるいは、直接、鞄又は衣服又は腰ベルトに対して接着又は縫着したりすることもある。
【発明の効果】
【０００９】
本発明の拭き具では、一方の手を、袋状の第１の部分が有する開口に差し入れ、他方の手を、第１の部分の底部側から第１の部分と第２の部分の間に差し入れて、第１の部分越しに両方の手を擦り合わせることによって、両方の手に付着している液体を迅速に拭き取ることができる。
【００１０】
また、拭き具を鞄又は衣服又は腰ベルトに取り付けられた状態にしておけば、手を拭く時に、拭き具を鞄や衣服の中から取り出して広げる手間が省け、また、手を拭いた後に、拭き具を畳んで鞄や衣服の中にしまう手間も省ける。
【図面の簡単な説明】
【００１１】
【図１】（Ａ）は、第１の拭き具の斜視図であり、（Ｂ）は側面図であり、（Ｃ）は、（Ｂ）を反対側から見た側面図である。
【図２】第１の拭き具を使って液体の付着した手を拭く時の、手の動かし方を示した模式図である。
【図３】第１の拭き具の作り方の一例を示した模式図である。
【図４】第１の拭き具の作り方の他の例を示した模式図である。
【図５】（Ａ）は、第２の拭き具の斜視図であり、（Ｂ）は側面図であり、（Ｃ）は、（Ｂ）を反対側から見た側面図である。
【図６】第２の拭き具を使って液体の付着した手を拭く時の、手の動かし方を示した模式図である。
【図７】第２の拭き具の作り方の一例を示した模式図である。
【図８】（Ａ）は、第３の拭き具の斜視図であり、（Ｂ）は側面図であり、（Ｃ）は、（Ｂ）を反対側から見た側面図である。
【図９】第３の拭き具の作り方の一例を示した模式図である。
【図１０】取り付け部材用の環の構成例の模式図である。
【発明を実施するための形態】
【００１２】
以下、図を参照して、本発明の実施の形態について説明するが、各構成要素の形状、大きさ及び配置関係については、この発明が理解できる程度に概略的に示したものに過ぎない。また、以下、本発明の好適な構成例につき説明するが、各構成要素の材質及び数値的条件などは、単なる好適例にすぎない。従って、本発明は以下の実施の形態に限定されるものではなく、本発明の構成の範囲を逸脱せずに本発明の効果を達成できる多くの変更又は変形を行うことができる。
【００１３】
（第１の拭き具）
図１を参照して、本発明の第１の実施形態に係る拭き具（以下、第１の拭き具と称する）について説明する。図１（Ａ）は、第１の拭き具の斜視図であり、図１（Ｂ）は、第１の拭き具の側面図であり、図１（Ｃ）は、図１（Ｂ）を反対側から見た側面図である。
【００１４】
第１の拭き具は、第１の部分と第２の部分とを備えて構成される。第１の部分は、開口部を有する袋状に構成される。また、第２の部分は、第１の部分の側面全体を覆う部分であって、第１の部分が有する開口部の縁に沿って接合されている。
第１の部分は、例えば、略等しい大きさで略方形状の第１のシート１０と第２のシート２０を重ね合わせ、重ね合わせた第１のシート１０と第２のシート２０の周囲四辺のうち三辺（１０ａ、１０ｂ、１０ｃ）を接合して、開口部を有する袋状に構成される。
第２の部分は、例えば、略等しい大きさで略方形状の第３のシート３０と第４のシート４０を重ね合わせ、第３のシート３０と第４のシート４０の、重なった領域の周囲四辺のうち対向する二辺において、第３のシート３０と第４のシート４０とを接合し、他の二辺では接合せずに構成される。これにより、接合された対向する一組の辺３０ａ及び３０ｂの領域が閉口部となり、他の接合されない組の辺３０ｃ及び３０ｄの領域が開口部として形成される。
第１の部分が有する開口（以下、第１の開口とも称する。）の縁にあたる辺１０ｄを、第３のシート３０と第４のシート４０の間に形成された開口の縁にあたる辺３０ｄと接合することによって、第１の拭き具全体が構成される。
【００１５】
第３のシートと第４のシートを重ね合わせる方法としては、二枚の略方形状で略等しい大きさのシートを重ね合わせる方法や、略長方形状の一枚のシートを、長手方向を略二分する位置で折り曲げて重ね合わせる方法がある。
【００１６】
第１のシート及び第２のシートは単層または多層構造であって、両面がいずれも吸液層である。従って、袋状の第１の部分の内側も外側も必ず吸液層である。
【００１７】
拭き具の構造上、開口の内側に、手に付いている液体を拭きとる吸液層がある。これにより、手を拭くのに使う吸液層が、開口の外側にある雑菌、粉塵、くしゃみの飛沫などの汚染物質によって汚染されるリスクが低い。ひいては、手を拭く時に、衛生的な吸液層にて拭くことができる。
【００１８】
第３のシート及び第４のシートは、単層または多層構造であって、拭き具を構成した際に開口の内側になる層は必ず吸液層であるが、開口の外側になる層は吸液層であっても難透液層であってもどちらでも良い。
【００１９】
拭き具を構成する第３のシートと第４のシートの、開口の外側にある層が吸液層であると、この開口の外側にある吸液層の面を、額、目元、口元に押し当てる等の用途にも使うことができ、便利である。
【００２０】
拭き具の構造上、開口の内側に、手に付いている液体を拭きとる吸液層があるが、拭き具を鞄や衣服の中に収納した時に、開口の内側にある吸液層に吸収されている液体が滲み出して、拭き具の外側にある物や衣服を汚してしまうリスクを低くするためには、拭き具を構成する第３のシートと第４のシートの、開口の外側にある層が、難透液層であるとよい。
【００２１】
図２を参照して、第１の拭き具の使用方法を説明する。図２は、第１の拭き具を使って液体の付着した手を拭く時の、手の動かし方を示した模式図である。
本発明の拭き具では、一方の手を第１の開口に差し入れ、他方の手を、第１の部分の底部側から第２の部分が有する開口（以下、第２の開口とも称する。）に差し入れて用いられる。
第１の開口に差し入れた手は袋状の第１の部分の中に、第２の開口に差し入れた手は第１の部分と第２の部分の間に、それぞれすっぽりと収まる。これにより、手の平や甲のみならず、手の指先に付いている液体までも、開口の内側の吸液層でしっかりと拭き取れると共に、第１の開口に差し入れた手に第１の部分が密着するため、開口の中で第１の部分越しに左右の手を擦り合わせる動作も、安定して行うことができる。
【００２２】
シートの吸液層は、水や油などを含む液体を吸収する。吸液層には、綿、麻、竹、極細化学繊維などを中心とする素材で作られた吸液性の高い布の他に、ポリビニールアルコール、ポリエステル、ポリウレタンなどを中心とする素材で作られた、布のようにしなやかであって液体を抱え込める多孔質構造を持つ、人工セーム革などを用いる。
【００２３】
また、シートの吸液層が抗菌性を有する布であると、拭き具を、より衛生的な状態に保つことができる。抗菌性を有する布の例としては、元来抗菌性を備える竹などの天然繊維や銀などの抗菌物質により抗菌加工を施された綿繊維や極細化学繊維などの素材から作られた布であって、抗菌性を有する任意好適な布を用いることができる。
【００２４】
シートの難透液層は、水や油などを含む液体を透過しにくい。難透液層には、ナイロンやポリエステルなどを中心とする素材で作られた難透液性の高い布やポリ塩化ビニルなどを中心とする素材で作られた難透液性の高いビニールなどを用いるのが好ましい。
【００２５】
拭き具を構成する第３のシートと第４のシートの難透液層が、透湿性を持っていると、開口の内側にある吸液層で吸収した液体が気化した状態の湿気を、効率良く拭き具の外に逃がせる。これにより開口の内側にある吸液層が乾きやすくなるため、複数回繰り返し、拭き具を快適に使用できる。
この場合の難透液層は、液体は透過しにくいが気体は透過しやすい性質を持つ布を指しており、透湿防水布という名称で市販されている布などがこれに該当する。
【００２６】
第１の拭き具は、第１の開口に差し入れた手を、第２の開口に差し入れた手で、第１の部分越しに上下左右方向から握ることができるため、手に付いている液体を迅速に拭き取ることができる。
【００２７】
しかし、手を拭いた後、第１の開口から手を引き抜く時に、袋状の第１の部分が裏返って拭き具の外側に飛び出してくるなど、形状が乱れやすい難点がある。
これを解消するためには、辺１０ａと辺１０ｃとが交わる角１０ｅの近傍、及び、辺１０ｂと辺１０ｃとが交わる角１０ｆの近傍を、それぞれ、拭き具を構成する第２の部分に対して縫着などすると良い。このようにすることで、手を第２の開口から抜き差しする時に、その手が僅かに縫着箇所に引っ掛かりはするが、形状が乱れやすい難点は、解消される。
【００２８】
図３を参照して、第１の拭き具の作り方を説明する。図３は、第１の拭き具の作り方の一例を示す模式図である。
先ず、略方形状のシート７０を、一組の対辺が重なるように折り曲げる。さらに、その折り目７０ｄに直交する向きに折り目７０ｂが付くように、辺７０ｄを略二分する位置で折り曲げることによって、シート７０を四つ折りの状態にする。この結果、シート７０は、略方形状のシートを４枚重ね合わせた状態となる。その後、折り目を含まない二辺のうち一辺の、重ね合わされた４枚のシートのうち上から２枚目と３枚目の辺７０ｅを接合し、さらに、上から１枚目と４枚目の辺７０ａを接合する。また、折り目を含まないもう一辺の、上から２枚目と３枚目の辺７０ｃを接合する。これによって、第１の拭き具が構成される。
この場合、重ね合わされた４枚のシートのうち、上から１枚目と４枚目のシートが、それぞれ、第３のシート及び第４のシートとなり、上から２枚目と３枚目のシートが、それぞれ、第１のシート及び第２のシートとなる。
【００２９】
図４を参照して、第１の拭き具の作り方の他の例を説明する。図４は、第１の拭き具の作り方の他の例を示す模式図である。
先ず、略方形状のシート８０を、一組の対辺が重なるように折り曲げて重ね合わせる（図４（Ａ）参照）。次に、重ね合わされたシート８０の、折り目８０ｂに該当する辺を除く周囲三辺のうち二辺について、１枚目と２枚目とをそれぞれ接合することによって、シート８０を一つの開口部を備える袋状に構成する。ここで、接合する二辺は、折り目８０ｂに該当する辺の対辺８０ａと、折り目８０ｂに該当する辺に隣接する二辺の一方（この例では、８０ｃ）である。次に、図４（Ｂ）に示すように、この袋状の開口部にあたる辺８０ｄを、辺８０ｃの方向に開口より外側に折り返すことによって、第１の拭き具を構成することができる。
この場合、重ね合わされた２枚のシートのうち、外側に折り返された部分が第３のシート及び第４のシートとなり、それ以外の部分が、第１のシート及び第２のシートとなる。
【００３０】
（第２の拭き具）
図５を参照して、本発明の第２の実施形態に係る拭き具（以下、第２の拭き具と称する）について説明する。図５（Ａ）は、第２の拭き具の斜視図であり、図５（Ｂ）は、第２の拭き具の側面図であり、図５（Ｃ）は、図５（Ｂ）を反対側から見た側面図である。なお、第１の拭き具と同様に構成される部分については、重複する説明を省略することがある。
【００３１】
第２の拭き具は、第１の拭き具を構成する第１の部分の閉口する部分の辺１０ａを、第２の部分の閉口する部分の辺３０ａに接合させて、構成される。
【００３２】
図６を参照して、第２の拭き具の使用方法を説明する。図６は、第２の拭き具を使って液体の付着した手を拭く時の、手の動かし方を示した模式図であり、左右の手を（Ａ）から（Ｂ）の状態に遷移するように動かし、左右の手を、拭き具の開口の中で、第１の部分越しに擦り合わせる様子を示している。
第２の拭き具では、第１の拭き具と同様に、一方の手を第１の開口に差し入れ、他方の手を、第２の開口に差し入れて用いられる。第２の拭き具では、第１の開口に差し入れた手を、第２の開口に差し入れた手で、第１の部分越しに下左右方向から握ることができる。このとき、上方向からも握るためには、第１の部分の辺１０ｃと辺１０ｄ、及び、第２の部分の辺３０ｃと辺３０ｄに、十分な長さが必要で、第１の開口と第２の開口それぞれに左右の手を差し入れた状態において、第１の開口から差し入れた手を、第２の開口から差し入れた手で、第１の部分越しに上方向からも握ることができるだけのゆとりが、第１の部分や第２の部分に必要である。
【００３３】
第２の拭き具は、形状に安定性があり、手を開口から抜き差しする時などに拭き具の形状が乱れにくく、この点において第１の拭き具よりも優れている。
形状の安定性をより高めるためには、辺１０ｂと辺１０ｃとが交わる角１０ｆの近傍を、拭き具を構成する第２の部分に対して縫着などすると良い。このようにすることで、手を第２の開口から抜き差しする時に、その手が僅かに縫着箇所に引っ掛かりはするが、形状は、より乱れにくくなる。
【００３４】
図７を参照して、第２の拭き具の作り方を説明する。図７は、第２の拭き具の作り方の一例を示す模式図である。
第２の拭き具は、略方形状のシート９０を、一組の対辺が重なるように折り曲げる。さらに、その折り目９０ｄに直交する向きに折り目９０ｂが付くように、辺９０ｄを略二分する位置で折り曲げることによって、シート９０を四つ折りの状態にする。この結果、シート９０は、略方形状のシートを４枚重ね合わせた状態となる。その後、折り目を含まない二辺のうち一辺の、重ね合わされた４枚のシートのうち上から２枚目と３枚目の辺９０ｃを接合し、さらに、折り目を含まない二辺のうち他辺の、上から１〜４枚目までの辺９０ａを全て接合する。これによって、第２の拭き具が構成される。
この場合、重ね合わされた４枚のシートのうち、上から１枚目と４枚目のシートが、それぞれ第３のシート及び第４のシートとなり、上から２枚目と３枚目のシートが、それぞれ第１のシート及び第２のシートとなる。
【００３５】
（第３の拭き具）
図８を参照して、本発明の第３の実施形態に係る拭き具（以下、第３の拭き具と称する）について説明する。図８（Ａ）は、第３の拭き具の斜視図であり、図８（Ｂ）は、第３の拭き具の側面図であり、図８（Ｃ）は、図８（Ｂ）を反対側から見た側面図である。
なお、第１の拭き具や第２の拭き具と同様に構成される部分については、重複する説明を省略することがある。
【００３６】
第３の拭き具は、第１の拭き具を構成する第１の部分と第２の部分の間に第３の部分を備えて、構成される。
第１の部分は、例えば、略等しい大きさで略方形状の第１のシート１０と第２のシート２０を重ね合わせ、重ね合わせた第１のシート１０と第２のシート２０の周囲四辺のうち三辺（１０ａ、１０ｂ、１０ｃ）を接合して、開口部を有する袋状に構成される。
第２の部分は、例えば、略等しい大きさで略方形状の第３のシート３０と第４のシート４０を重ね合わせ、第３のシート３０と第４のシート４０の、重なった領域の周囲四辺のうち対向する二辺において、第３のシート３０と第４のシート４０とを接合し、他の二辺では接合せずに構成される。これにより、接合された対向する一組の辺３０ａ及び３０ｂの領域が閉口部となり、他の接合されない組の辺３０ｃ及び３０ｄの領域が開口部として形成される。
第３の部分は、例えば、略等しい大きさで略方形状の第５のシート５０と第６のシート６０を重ね合わせ、重ね合わせた第５のシート５０と第６のシート６０の周囲四辺のうち三辺（５０ａ、５０ｂ、５０ｄ）を接合して、開口部を有する袋状に構成される。
第１の開口の縁にあたる辺１０ｄを、第３のシート３０と第４のシート４０の間に形成された開口の縁にあたる辺３０ｄと接合し、さらに、第３の部分が有する開口（以下、第３の開口とも称する。）の縁にあたる辺５０ｃを、第３のシート３０と第４のシート４０の間に形成された開口の縁にあたる辺３０ｃと接合することによって、第３の拭き具全体が構成される。
【００３７】
第３の拭き具の使用方法を説明する。第３の拭き具は、一方の手を第１の開口に差し入れ、他方の手を第３の開口に差し入れて、用いられる。
第１の開口に差し入れた手は袋状の第１の部分の中に、第３の開口に差し入れた手は袋状の第３の部分の中に、それぞれすっぽりと収まる。これにより、手の平や甲のみならず、手の指先に付いている液体までも、開口の内側の吸液層でしっかりと拭き取れると共に、第１の開口に差し入れた手に第１の部分が密着し、第３の開口に差し入れた手に第３の部分が密着するため、開口の中で第１の部分及び第３の部分越しに左右の手を擦り合わせる動作も、安定して行うことができる。
【００３８】
しかし、手を拭いた後、第１の開口や第３の開口から手を引き抜く時に、袋状の第１の部分や第３の部分が裏返って拭き具の外側に飛び出してくるなど、形状が乱れやすい難点がある。
これを解消するためには、辺１０ｃの近傍及び辺５０ｄの近傍を、それぞれ、拭き具を構成する第２の部分に対して縫着などすると良い。このようにすることで、形状が乱れやすい難点は解消される。
【００３９】
図９を参照して、第３の拭き具の作り方を説明する。図９は、第３の拭き具の作り方の一例を示す模式図である。
先ず、略方形状のシート１００を、一組の対辺が重なるように折り曲げて重ね合わせる（図９（Ａ）参照）。次に、重ね合わされたシート１００の、折り目１００ｂに該当する辺を除く周囲三辺全てについて、１枚目と２枚目とをそれぞれ接合する。ここで、接合する三辺は、折り目１００ｂに該当する辺の対辺１００ａと、折り目１００ｂに該当する辺に隣接する二辺（１００ｃ、１００ｄ）である。
次に、図９（Ｂ）に示すように、辺１００ｃを、辺１００ｄの方向に内部に深く押し込み、辺１００ｄを、辺１００ｃを押し込んだ時と逆の方向に内部に深く押し込むことによって、第３の拭き具を構成することができる。
この場合、重ね合わされた２枚のシートのうち、内部に押し込まれた一方が第１のシート及び第２のシートとなり、内部に押し込まれた他方が第５のシート及び第６のシートとなり、それ以外の部分が、第３のシート及び第４のシートとなる。
【００４０】
第１のシート及び第２のシートは単層または多層構造であって両面がいずれも吸液層である、としたが、第３の拭き具に限っては、拭き具を構成した際に第１の開口の外側になる層が難透液層であっても良い。これは、第３の拭き具で手を拭く時には、第１の開口から差し入れた手、第３の開口から差し入れた手、いずれの手も、拭き具を構成した際に第１の開口の外側になる層に、直接触れないからである。
【００４１】
第３のシート及び第４のシートは単層または多層構造であって拭き具を構成した際に開口の内側になる層は必ず吸液層である、としたが、第３の拭き具に限っては、開口の内側になる層が難透液層であっても良い。これは、第３の拭き具で手を拭く時には、第１の開口から差し入れた手、第３の開口から差し入れた手、いずれの手も、拭き具を構成した際に開口の内側になる層に、直接触れないからである。
【００４２】
第５のシート及び第６のシートは、単層または多層構造であって、拭き具を構成した際に第３の開口の内側になる層は必ず吸液層であるが、第３の開口の外側になる層は吸液層であっても難透液層であってもどちらでも良い。これは、第３の拭き具で手を拭く時には、第１の開口から差し入れた手、第３の開口から差し入れた手、いずれの手も、拭き具を構成した際に第３の開口の外側になる層に、直接触れないからである。
【００４３】
第３の拭き具は、側面から見た時に、第１の部分が第３の部分に隠れて見えないようになっていることから、すっきりとした印象を与える見た目である。第１の拭き具及び第２の拭き具は、側面から見た時に、第１の部分が剥き出しの状態で見えるようになっている。
【００４４】
（拭き具の他の構成例）
第１〜３の拭き具を、鞄又は衣服又は腰ベルトに取り付けられた状態で使うことができるようにするため、第１〜３の拭き具の、鞄又は衣服又は腰ベルトに接する側の面に、安全ピンや面ファスナーなどの着脱手段を設け、鞄又は衣服又は腰ベルトに対して着脱ができるように構成することもある。
【００４５】
それ以外の鞄又は衣服又は腰ベルトへの取り付け方として、バンド付きクリップ、引っ掛けクリップ、ストラップ、カラビナ、ベルトなどの取付部材によって取り付けられるように、拭き具を構成する場合もある。この場合、拭き具で手を拭く際、この動作を妨げない箇所に、例えば図１０（Ａ）や図１０（Ｂ）に示すような、取付部材用の一又は複数の環１２０が第２の部分の外側に備わっている。
図１０（Ａ）は、第２の部分を構成する第４のシート４０に対して、ベルト１１０を、接合した一辺に沿う位置に両端２１０と中央２２０で固定し、両端２１０と中央２２０の間を取り付け部材用の環１２０として利用する例を示す図であり、図１０（Ｂ）は、接合した一辺に沿う位置に、金属、樹脂、紐などにより作られた取り付け部材用の環１２０を備える例を示す図である。
【００４６】
また、上述した取り付け部材用の環１２０には、バンド付きクリップ、引っ掛けクリップ、ストラップ、カラビナ、ベルトなどの取付部材が取り付けられているのが良い。
【００４７】
なお、第１〜３の拭き具は、鞄又は衣服に接着又は縫着されていてもよい。拭き具が、鞄又は衣服に接着又は縫着されていると、拭き具の携帯し忘れを防ぐことができ、また、鞄又は衣服を洗濯する際に、同時に拭き具も洗濯され、便利である。想定する接着又は縫着対象は、トートバッグ、エコバッグ、エプロン、スモック、体操着、Ｔシャツなど、洗濯頻度が高い製品である。例えば、革製鞄、コート、ジャケットなど洗濯不可能なものや洗濯頻度が低いものは除く。
【符号の説明】
【００４８】
１０  第１のシート
１０ａ  閉口する部分の辺（第１の部分）
１０ｂ  閉口する部分の辺（第１の部分）
１０ｃ  閉口する部分の辺（第１の部分）
１０ｄ  開口する部分の辺（第１の部分）
１０ｅ  辺１０ａと辺１０ｃとが交わる角
１０ｆ  辺１０ｂと辺１０ｃとが交わる角
２０  第２のシート
３０  第３のシート
３０ａ  閉口する部分の辺（第２の部分）
３０ｂ  閉口する部分の辺（第２の部分）
３０ｃ  開口する部分の辺（第２の部分）
３０ｄ  開口する部分の辺（第２の部分）
４０  第４のシート
５０  第５のシート
５０ａ  閉口する部分の辺（第３の部分）
５０ｂ  閉口する部分の辺（第３の部分）
５０ｃ  開口する部分の辺（第３の部分）
５０ｄ  閉口する部分の辺（第３の部分）
６０  第６のシート
７０  第１の拭き具を構成するシート
７０ａ  接合する部分の辺
７０ｂ  折り目
７０ｃ  接合する部分の辺
７０ｄ  折り目
７０ｅ  接合する部分の辺
８０  第１の拭き具を構成するシート
８０ａ  折り目に該当する辺の対辺
８０ｂ  折り目 
８０ｃ  折り目に該当する辺に隣接する辺
８０ｄ  折り目に該当する辺に隣接する辺
９０  第２の拭き具を構成するシート
９０ａ  接合する部分の辺
９０ｂ  折り目
９０ｃ  接合する部分の辺
９０ｄ  折り目
１００  第３の拭き具を構成するシート
１００ａ  接合する部分の辺
１００ｂ  折り目
１００ｃ  接合する部分の辺
１００ｄ  接合する部分の辺
１１０  ベルト
１２０  取り付け部材用の環
【図１】
2018123464.tif 000003
【図２】
2018123464.tif 000004
【図３】
2018123464.tif 000005
【図４】
2018123464.tif 000006
【図５】
2018123464.tif 000007
【図６】
2018123464.tif 000008
【図７】
2018123464.tif 000009
【図８】
2018123464.tif 000010
【図９】
2018123464.tif 000011
【図１０】
2018123464.tif 000012